(57)【要約】【課題】  バウンドを安定させてからパチンコ玉を検出すると共に通過口に対して逆側から進入するパチンコ玉を誤検出することのないパチンコ玉通過センサを提供する。【解決手段】  通過口１１の内周壁隅部に形成した開口１８に隣接する互いに対向する内周壁隅部に、円弧状の内周壁隅部側に変位して１対の緩衝突起８１を設け、パチンコ玉７０が当たるレバー２０のテーパ面２４ａをパチンコ玉７０の検出位置として、この検出位置をケース１０の底１０１の近傍に設定し、テーパ面２４ａが形成される受け部２４が挿通される開口１８の内壁に通過口１１の外側に変位して、開口内壁突出部１８１を形成すると共に、受け部２４にそのテーパ面２４ａ側に変位して、開口内壁突出部１８１に係合する受け部側突出部２４１を形成し、ケース１０の底１０１には開口１８に対応して進行阻止溝１０２を形成したボール通過センサ。【選択図】  図１
2006271490.tif 000002
【特許請求の範囲】
【請求項１】
ボールが通過する通過口を一半部に有するケースと、
そのケースの他半部側に収容され、一端が固定され、他端が上記通過口に向って偏倚された板ばねよりなる可動接片と、
基部と、その基部から分岐されて延長された長尺腕部と短尺腕部とを有し、上記可動接片の上記一端寄りに設けられた穴に基部の一方の側面に突設された軸部が挿通され、長尺腕部の先端が上記通過口内に臨み、短尺腕部の先端が上記可動接片の上記他端寄りに当接されたレバーと、
上記基部の他方の側面と当接配置されて上記軸部の上記穴からの抜けを阻止する背当てと、
上記可動接片の上記他端部に設けられた可動接点と対向する固定接点とを具備し、
上記通過口を通過するボールにより上記レバーが変位し、その変位により上記可動接片がその偏倚力に抗して押圧されて上記可動接点が上記固定接点と接触導通するボール通過センサにおいて、
通過口は内周壁が断面四角形状で円弧状の内周壁隅部を有しており、
通過口の内周壁隅部に形成した開口に隣接する互いに対向する内周壁隅部に、円弧状の内周壁隅部側に変位して１対の緩衝突起を設けたことを特徴とするボール通過センサ。
【請求項２】
請求項１に記載されるボール通過センサにおいて、
パチンコ玉が当たるレバーのテーパ面をパチンコ玉の検出位置として、この検出位置をケースの底の近傍に設定したことを特徴とするボール通過センサ。
【請求項３】
請求項１および請求項２の内の何れかに記載されるボール通過センサにおいて、
テーパ面が形成される受け部が挿通される開口の内壁に通過口の外側に変位して、開口内壁突出部を形成すると共に、受け部にそのテーパ面側に変位して、開口内壁突出部に係合する受け部側突出部を形成し、
受け部のテーパ面にはその先端に係止片を通過口の軸方向に垂下形成し、
ケースの底には開口に対応して進行阻止溝を形成したことを特徴とするボール通過センサ。
【請求項４】
ボールが通過する通過口を一半部に有するケースと、
そのケースの他半部側に収容され、一端が固定され、他端が上記通過口に向って偏倚された板ばねよりなる可動接片と、
基部と、その基部から分岐されて延長された長尺腕部と短尺腕部とを有し、上記可動接片の上記他端寄りに設けられた穴に短尺腕部の先端に突設された軸部が挿通され、長尺腕部の先端が上記通過口内に臨み、基部が上記可動接片の上記一端側に位置されたレバーと、
上記基部の上記通過口側の側面と当接配置されて上記軸部の上記穴からの抜けを阻止する背当てと、
上記可動接片の上記他端部に設けられた可動接点と対向する固定接点とを具備し、
上記通過口を通過するボールにより上記レバーが変位し、その変位により上記可動接片がその偏倚力に抗して押圧されて上記可動接点が上記固定接点と接触導通するボール通過センサにおいて、
通過口は内周壁が断面四角形状で円弧状の内周壁隅部を有しており、
通過口の内周壁隅部に形成した開口に隣接する互いに対向する内周壁隅部に、円弧状の内周壁隅部側に変位して１対の緩衝突起を設けたことを特徴とするボール通過センサ。
【請求項５】
請求項４に記載されるボール通過センサにおいて、
パチンコ玉が当たるレバーのテーパ面をパチンコ玉の検出位置として、この検出位置をケースの底の近傍に設定したことを特徴とするボール通過センサ。
【請求項６】
請求項４および請求項５の内の何れかに記載されるボール通過センサにおいて、
テーパ面が形成される受け部が挿通される開口の内壁に通過口の外側に変位して、開口内壁突出部を形成すると共に、受け部にそのテーパ面側に変位して、開口内壁突出部に係合する受け部側突出部を形成し、
受け部のテーパ面にはその先端に係止片を通過口の軸方向に垂下形成し、
ケースの底には開口に対応して進行阻止溝を形成したことを特徴とするボール通過センサ。
【請求項７】
ボールが通過する通過口を一半部に有するケースと、
そのケースの他半部側に収容され、一端が固定され、他端が上記通過口に向って偏倚された板ばねよりなる可動接片と、
基部と、その基部から分岐されて延長された長尺腕部と短尺腕部とを有し、上記可動接片の上記一端寄りに基部が連結固定され、長尺腕部の先端が上記通過口内に臨み、短尺腕部の先端が上記可動接片の上記他端寄りに当接されたレバーと、
上記可動接片の上記他端部に設けられた可動接点と対向する固定接点とを具備し、
上記通過口を通過するボールにより上記レバーが変位し、その変位により上記可動接片がその偏倚力に抗して押圧されて上記可動接点が上記固定接点と接触導通するボール通過センサにおいて、
通過口は内周壁が断面四角形状で円弧状の内周壁隅部を有しており、
通過口の内周壁隅部に形成した開口に隣接する互いに対向する内周壁隅部に、円弧状の内周壁隅部側に変位して１対の緩衝突起を設けたことを特徴とするボール通過センサ。
【請求項８】
請求項７に記載されるボール通過センサにおいて、
パチンコ玉が当たるレバーのテーパ面をパチンコ玉の検出位置として、この検出位置をケースの底の近傍に設定したことを特徴とするボール通過センサ。
【請求項９】
請求項７および請求項８の内の何れかに記載されるボール通過センサにおいて、
テーパ面が形成される受け部が挿通される開口の内壁に通過口の外側に変位して、開口内壁突出部を形成すると共に、受け部にそのテーパ面側に変位して、開口内壁突出部に係合する受け部側突出部を形成し、
受け部のテーパ面にはその先端に係止片を通過口の軸方向に垂下形成し、
ケースの底には開口に対応して進行阻止溝を形成したことを特徴とするボール通過センサ。
【請求項１０】
ボールが通過する通過口を一半部に有するケースと、
そのケースの他半部側に収容され、一端が固定され、他端が上記通過口に向って偏倚された板ばねよりなる可動接片と、
基部と、その基部から分岐されて延長された長尺腕部と短尺腕部とを有し、上記可動接片の上記他端寄りに短尺腕部の先端が連結固定され、長尺腕部の先端が上記通過口内に臨み、基部が上記可動接片の上記一端側に位置されたレバーと、
上記可動接片の上記他端部に設けられた可動接点と対向する固定接点とを具備し、
上記通過口を通過するボールにより上記レバーが変位し、その変位により上記可動接片がその偏倚力に抗して押圧されて上記可動接点が上記固定接点と接触導通するボール通過センサにおいて、
通過口は内周壁が断面四角形状で円弧状の内周壁隅部を有しており、
通過口の内周壁隅部に形成した開口に隣接する互いに対向する内周壁隅部に、円弧状の内周壁隅部側に変位して１対の緩衝突起を設けたことを特徴とするボール通過センサ。
【請求項１１】
請求項１０に記載されるボール通過センサにおいて、
パチンコ玉が当たるレバーのテーパ面をパチンコ玉の検出位置として、この検出位置をケースの底の近傍に設定したことを特徴とするボール通過センサ。
【請求項１２】
請求項１０および請求項１１の内の何れかに記載されるボール通過センサにおいて、
テーパ面が形成される受け部が挿通される開口の内壁に通過口の外側に変位して、開口内壁突出部を形成すると共に、受け部にそのテーパ面側に変位して、開口内壁突出部に係合する受け部側突出部を形成し、
受け部のテーパ面にはその先端に係止片を通過口の軸方向に垂下形成し、
ケースの底には開口に対応して進行阻止溝を形成したことを特徴とするボール通過センサ。
【発明の詳細な説明】
【技術分野】
【０００１】
この発明は、ボール通過センサに関し、特に、パチンコ玉のバウンドを安定させてからパチンコ玉を検出すると共にパチンコ玉の通過口に対して逆側から進入するパチンコ玉を誤検出することのないボール通過センサに関する。
【背景技術】
【０００２】
従来例を図を参照して説明する。
図２は従来例を説明する図である。ボール通過センサは、ケース１０とレバー２０と可動接片３０と電極板４０、５０とカバー６０とによって構成されている。図２はカバー６０を外した状態を示している。
図２の従来例の各構成部品は図３〜８に図示されており、以下、これらについて説明する。
【０００３】
図３はケースを説明する図である。このケース１０は略直方体形状をなすものとされて樹脂製とされ、その一半部にはパチンコ玉が通過する通過口１１が設けられている。ケース１０の他半部側には収納空間１２が形成されており、この収納空間１２の内部底面には通過口１１側に２本の段付き軸１３ａ，１３ｂが突設され、他方、ケース１０の短辺をなす側壁１０ａ側に２つの突起１４ａ，１４ｂが突設されている。
側壁１０ａの中央部分は切り欠かれており、この部分から収納空間１２に対して相手方コネクタが挿入されるコネクタ挿入部１５が形成されている。なお、コネクタ挿入部１５を挟む側壁１０ａ上には一対の軸１６が突設されており、また収納空間１２を囲むケース１０の長辺に位置する両側壁１０ｂ，１０ｃの互いの外側面にはそれぞれ一対の係止突起１７が設けられている。これら係止突起１７、軸１６および段付き軸１３ａ，１３ｂはカバー６０の取り付けに使用される。
【０００４】
図４はレバーを説明する図である。このレバー２０は、基部２１と、その基部２１から分岐されて延長形成された長尺腕部２２と短尺腕部２３とを有するものとされる。長尺腕部２２の先端には、外向きに直角方向に突出されたパチンコ玉の受け部２４が設けられ、さらにその受け部２４の先端にはテーパ面２４ａが形成されている。
短尺腕部２３の先端には図に示したように柱状をなす押圧部２５が形成されており、また基部２１の短尺腕部２３が突出する側の側面には突部２６が形成され、さらにその先端に軸部２７が突出形成されている。レバー２０は樹脂製とされる。
【０００５】
図５は可動接片を説明する図である。可動接片３０は、薄い板ばね材に所要の曲げ加工および打抜き加工が施されて形成されている。可動接片３０の一端側（基端側）には取り付け固定用の固定部３１が設けられており、この固定部３１には前述したケース１０の突起１４ｂに挿通される穴３２が形成されている。
一方、可動接片３０の他端側（遊端側）の両側縁には三角形状に突出された一対の可動接点３３が形成されており、また可動接片３０の長手方向中心線上には図５Ｂに示したように、基端側から順次、長円穴３４、穴（丸穴）３５、長円穴３６および長円切欠き３７が形成されている。なお、図５Ｂは図５Ａに示したように基端側に所要の曲げ加工が施されている可動接片３０を一平面上に位置するように展開した（伸ばした）状態を示している。
【０００６】
図６は電極板を説明する図である。電極板４０は、固定接点４１と端子４２とを具備するものとされ、固定接点４１は方形板部４３の一辺から垂直に立ち上げられて形成されている。端子４２は方形板部４３の、固定接点４１が位置する辺と隣接する辺から導出された後、垂直に立ち上げられ、先端が折り返されてなる延長部４４の先に形成されており、固定接点４１と反対方向に突出するように形成されている。なお、方形板部４３には穴４５が設けられている。
【０００７】
図７は一方の電極板を説明する図である。一方の電極板５０は、穴５１が形成されている板部５２と、その一辺から垂直に立ち上げられた板部５３と、反対側の辺から図６に示した電極板４０と同様、延長部５４を介して設けられた端子５５とを有する。なお、板部５３には図に示したように切り起こし片５６が形成されている。
【０００８】
図８はカバーを説明する図である。カバー６０は、ケース１０の収納空間１２を蓋すると共に、ケース１０のコネクタ挿入部１５と組み合わされてコネクタ挿入口を構成するものとされる。図中、６１はコネクタ挿入部を示す。カバー６０にはケース１０の２本の段付き軸１３ａ，１３ｂおよび２本の軸１６の位置と対応して、穴６２および６３がそれぞれ２つ形成されており、これら穴６２，６３にはそれぞれ天面側にザグリが設けられている。また、カバー６０の対向２辺にはケース１０に設けられている係止突起１７の位置と対応して係止片６４が突設されており、これら係止片６４には係止突起１７と係合する係止窓６５が形成されている。なお、カバー６０は例えば透明な樹脂製とされる。
【０００９】
次に、各部材の組み立てについて説明する。
ケース１０の突起１４ｂに穴３２を一致させて、まず可動接片３０をケース１０の収納空間１２に収容し、さらにその突起１４ｂに穴５１を嵌合させて電極板５０を組み込む。電極板５０の端子５５は図２に示したようにコネクタ挿入部１５に位置するものとなる。
一方、電極板４０はその穴４５を突起１４ａに嵌合させてケース１０に組み込む。電極板４０の端子４２は電極板５０の端子５５と同様、コネクタ挿入部１５に位置するものとなる。
【００１０】
次に、レバー２０を取り付ける。レバー２０の取り付けは可動接片３０をその弾性偏倚力に抗して押圧して、その遊端が電極板４０に設けられている固定接点４１に近接する方向に押し曲げた状態で、軸部２７を可動接片３０の穴３５に挿通させ、基部２１が図２に示したように可動接片３０と段付き軸１３ｂとの間に位置するように収納空間１２に収納することによって行われる。
上述し通りにレバー２０を取り付けることにより、レバー２０はその軸部２７によって可動接片３０に位置決めされる。また、可動接片３０は遊端が通過口１１に向って弾性偏倚された状態となり、レバー２０の短尺腕部２３の先端の押圧部２５は可動接片３０と当接し、長尺腕部２２の先端の受け部２４はケース１０に設けられている開口１８を介して通過口１１内に臨むものとなる。開口１８の内径をパチンコ玉の受け部２４の外径と比較して大きく形成し、受け部２４は開口１８に間隙を有した状態で挿通している。
【００１１】
また、可動接片３０の弾性偏倚力により、基部２１の、突部２６および軸部２７が設けられている側面と反対側の側面は段付き軸１３ｂの周面と当接し、つまり基部２１は段付き軸１３ｂと可動接片３０とによって挟持された状態となり、これにより可動接片３０の穴３５からの軸部２７の抜けが阻止されるものとなっている。カバー６０を取り付けるための段付き軸１３ｂは上述したように、この例では基部２１の背当てとして機能する。なお、長尺腕部２２の通過口１１側の側面はケース１０の突き当て面１９に突き当たった状態となる。
【００１２】
カバー６０の取り付けは図２には示していないが、ケース１０の収納空間１２を蓋するように、ケース１０の上から押し込んで被せることによって行われ、４つの係止片６４はそれぞれケース１０の係止突起１７に係止され、これによりカバー６０がケース１０に固定される。なお、穴６２および６３よりそれぞれ突出する段付き軸１３ａ，１３ｂおよび軸１６の先端は例えば熱かしめされる。
図９は、上述の如くに構成されたボール通過センサにおいて、通過口１１を通過するパチンコ玉７０によりレバー２０および可動接片３０が変位する様子を説明する図である。
【００１３】
レバー２０はそのテーパ面２４ａにパチンコ玉７０が当たることにより、受け部２４が通過口１１から引っ込む方向の力を受け、これによりレバー２０は二点鎖線で示したように変位し、可動接片３０はレバー２０の押圧部２５によって押圧されて二点鎖線で示したようにたわみ、その可動接点３３が固定接点４１と接触して導通するものとなる。一方、パチンコ玉７０が通過口１１を通過すると、可動接片３０は元の状態に弾性復帰し、可動接点３３と固定接点４１とが離間すると共に、レバー２０も元の位置に復帰する。
【００１４】
この従来例によれば、パチンコ玉７０の通過に伴なって、レバー２０が変位して接点がオンとなり、それによりパチンコ玉７０の通過を検出することができる。そして、レバー２０は直接可動接片３０に取り付けられた構造となっているので、耐久性に優れたものとなる。なお、この例のように可動接片３０の遊端に可動接点３３を２つ突出形成し、２点接触構造とすることにより、接触信頼性を向上させることができる。また、パチンコ玉（ボール）７０の受け部２４を長尺腕部２２の先端に設け、可動接片３０の押圧部２５を短尺腕部２３の先端に設けることにより、テコの原理により受け部２４で受けた力に対し、押圧部２５で可動接片３０を押す力を増大できるものとなっている。従って、可動接片３０を確実に押圧することができると共に、パチンコ玉７０の通過時にパチンコ玉７０からレバー２０に伝える力（作用させる力）が小さくてすむため、例えば玉詰まりが発生するという問題も解消することができる。
【００１５】
図１０は第２のレバーを説明する図である。先のレバー２０の基部２１の形状は矩形状とされ、その側面の平面が段付き軸１３ｂと当接するものとなっているが、図１０に示されるごとく基部２１の端部側を円形状とし、この円形部の周面の曲面が段付き軸１３ｂの周面と当接する構造としてもよい。
図１１〜１３は更なるレバーを説明する図である。レバー２０はその基部２１に突設された軸部２７が可動接片３０の基端寄りに挿通位置決めされ、短尺腕部２３の先端の押圧部２５が可動接片３０の遊端寄りに当接された構造となっており、またレバー２０の外れ（抜け）防止の背当て（この例は段付き軸１３ｂ）を必要とするものとなっているが、レバー２０の構造はこれに限らず、図１１〜１３に示した構造とすることができる。以下、具体的に説明する。
【００１６】
図１１はレバー２０の可動接片３０に対する連結位置決めのための軸部２７を基部２１ではなく、短尺腕部２３の先端の押圧部２５に設けたものであり、可動接片３０の遊端寄りに設けた穴（図では見えない）にこの軸部２７を挿通させることにより、可動接片３０に対し、レバー２０を位置決めするものとなっている。なお、基部２１は可動接片３０の基端側に位置され、図２と同様、その通過口１１側の側面が段付き軸１３ｂと当接され、これにより軸部２７の穴からの抜けが阻止されるものとなっている。
図１２は基部２１の側面に設けられた突部２６の先端にかしめ部２８を設け、このかしめ部２８を可動接片３０の穴３５に挿通して熱かしめすることにより、基部２１を可動接片３０に連結固定する構造としたものであり、この例ではレバー２０は可動接片３０から外れないため、基部２１の通過口１１側の側面に背当てを配置する必要はなくなる。
【００１７】
図１３は短尺腕部２３の先端の押圧部２５にかしめ部２８を設け、このかしめ部２８を可動接片３０の穴（図では見えない）に挿通して熱かしめすることにより、押圧部２５を可動接片３０に連結固定する構造としたものであり、この例も図１２と同様、背当ては不要となり、また基部２１は図に示したように、短かくすることもできる。
レバー２０をこれら図１１〜１３に示される構造としても、パチンコ玉（ボール）の通過に伴い、レバー２０は図２および９に示したレバー２０と同様に変位して可動接片３０を押圧し、接点オンによりパチンコ玉の通過を検出することができる。
【特許文献１】特開２００３−１５４０６８
【発明の開示】
【発明が解決しようとする課題】
【００１８】
図１４を参照して図２の従来例におけるパチンコ玉のバウンドを説明するに、通過口１１は、内周壁が断面四角形状で円弧状の内周壁隅部を有している。パチンコ玉７０は、通過口１１に紙面上方から進入して通過口１１を通過する過程において、通過口１１の円弧状の内周壁隅部に衝突して８方向矢印で示される如くあらゆる方向にバウンドしながら下方に進行する。このバウンドの内の開口１８に設けられたパチンコ玉の受け部２４に関して直交する方向のパチンコ玉のバウンドは、受け部２４に直接衝突し、これに起因して生起する受け部２４の振動は長尺腕部２２を介して可動接片３０に伝達して可動接片３０と固定接点４１との間の電気接触に悪影響を及ぼす恐れがあった。
【００１９】
そして、パチンコ玉７０が当たるレバー２０のテーパ面２４ａをパチンコ玉７０の検出位置として、このテーパ面２４ａがケース１０の底１０１からみてかなりの上方に設定されているところから、パチンコ玉７０がこの位置に到達するに到るまではパチンコ玉７０外表面と通過口１１の内周面との間には大なる寸法裕度があるので、バウンドは大きくなり、受け部２４を大きく外側に押し出して、バウンドが安定するに先立ってパチンコ玉７０を検出する恐れがあった。
【００２０】
この発明は、通過口は内周壁が断面四角形状で円弧状の内周壁隅部を有しており、通過口の内周壁隅部に形成した開口に隣接する互いに対向する内周壁隅部に円弧状の内周壁隅部側に変位して１対の緩衝突起を設けて、パチンコ玉の動きをこの互いに対向する内周壁隅部に直交する方向に制限すると共に、開口が形成された内周壁隅部に対向する内周壁隅部に指向する向きに制限する構成を具備することにより、パチンコ玉のバウンドを安定させてからパチンコ玉を検出すると共にパチンコ玉の通過口に対して逆側から進入するパチンコ玉を誤検出することのないボール通過センサを提供するものである。
【課題を解決するための手段】
【００２１】
通過口１１は内周壁が断面四角形状で円弧状の内周壁隅部を有しており、通過口１１の内周壁隅部に形成した開口１８に隣接する互いに対向する内周壁隅部に、円弧状の内周壁隅部側に変位して１対の緩衝突起８１を設けたことにより、開口１８に設けられたパチンコ玉の受け部２４に対するパチンコ玉７０のバウンド、衝突の頻度を従来例と比較して低減し、これに起因するパチンコ玉７０が当たるレバー２０のテーパ面２４ａの運動に対する悪影響を減少することができる。
そして、パチンコ玉７０の検出位置をケース１０の底１０１の近傍に設定してパチンコ玉７０の最大外径部が通過口１１の内周壁隅部に接触したところでパチンコ玉７０を検出したものとすることにより、パチンコ玉７０がこの位置に到達した時、パチンコ玉７０は外表面が最大外径部のところで通過口１１の内周壁隅部に接触しており、通過口１１の内周面との間の寸法裕度は最小であるので、パチンコ玉７０のバウンドは安定し、この状態でパチンコ玉７０を検出することになる。
【００２２】
また、通過口１１に逆側からパチンコ玉７０が進入しようとすると、パチンコ玉７０はレバー２０の受け部２４の係止片２４２に引っ掛かり、通過口１１に進入、通過することができない。従って、通過口１１に対して逆側から進入するパチンコ玉７０を誤検出することはなくなった。
【発明の効果】
【００２３】
この発明によれば、開口１８に設けられたパチンコ玉の受け部２４に対するパチンコ玉７０のバウンド、衝突の頻度を従来例と比較して低減し、これに起因するパチンコ玉７０が当たるレバー２０のテーパ面２４ａの運動に対する悪影響を減少することができ、そして、パチンコ玉７０がこの検出位置に到達した時、パチンコ玉７０は外表面が最大外径部のところで通過口１１の内周壁隅部に接触しており、通過口１１の内周面との間の寸法裕度は最小であるので、パチンコ玉７０のバウンドは安定し、この状態でパチンコ玉７０を検出することになる。また、通過口１１に逆側からパチンコ玉７０が進入しようとすると、パチンコ玉７０はレバー２０の受け部２４の係止片２４２に引っ掛かり、通過口１１に進入、通過することができず、従って、通過口１１に対して逆側から進入するパチンコ玉７０を誤検出することはなくなった。
【発明を実施するための最良の形態】
【００２４】
発明を実施するための最良の形態を、図１の実施例を従来例をも参照して説明する。実施例において、従来例における部材と共通する部材には共通する参照符合を付与している。
通過口１１は内周壁が断面四角形状で円弧状の内周壁隅部を有しており、通過口１１の内周壁隅部に形成した開口１８に隣接する互いに対向する内周壁隅部に円弧状の内周壁隅部側に変位して１対の緩衝突起８１を設けた。これにより、パチンコ玉７０の動きをこの互いに対向する内周壁隅部に直交する方向に制限すると共に開口１８が形成された内周壁隅部に対向する内周壁隅部に指向する向きに制限する構成とした。
【００２５】
上述した構成を採用することにより、パチンコ玉７０の動きを、開口１８が形成された内周壁隅部に対向する内周壁隅部に指向する向きに制限することにより、開口１８に設けられたパチンコ玉の受け部２４に対するパチンコ玉７０のバウンド、衝突の頻度を従来例と比較して低減し、これに起因するパチンコ玉７０が当たるレバー２０のテーパ面２４ａの運動に対する悪影響を減少することができる。
この実施例は、パチンコ玉７０が当たるレバー２０のテーパ面２４ａをパチンコ玉７０の検出位置として、この検出位置をケース１０の底１０１の近傍に設定してパチンコ玉７０の最大外径部が通過口１１の内周壁隅部に接触したところでパチンコ玉７０を検出したものとし、パチンコ玉７０のバウンドを安定させてからパチンコ玉７０を検出する構成をも採用した。
【００２６】
この実施例は、従来例と同様に、開口１８の内径をパチンコ玉の受け部２４の外径と比較して大きく形成し、受け部２４は開口１８に間隙を有した状態で挿通している。テーパ面２４ａが形成される受け部２４が挿通される開口１８の内壁に通過口１１の外側に変位して、開口内壁突出部１８１を形成すると共に、受け部２４にそのテーパ面２４ａ側に変位して、開口内壁突出部１８１に係合する受け部側突出部２４１を形成する。そして、受け部２４のテーパ面２４ａにはその先端に係止片２４２を通過口１１の軸方向に垂下形成される。更に、ケース１０の底１０１には開口１８に対応して進行阻止溝１０２が形成される。
【００２７】
ここで、パチンコ玉７０が通過口１１に進入し、パチンコ玉７０がテーパ面２４ａに係合して、受け部２４は受け部側突出部２４１が開口内壁突出部１８１に阻止されることなく外側に押し出され、パチンコ玉７０の最大外径部が通過口１１の内周壁隅部に接触したところでパチンコ玉７０を検出する。このパチンコ玉７０検出時において、係止片２４２は進行阻止溝１０２に進入してここに没入し、パチンコ玉７０の通過口１１内の進行の障害とはならず、係止片２４２は進行阻止溝１０２により係止して受け部２４は最終的に進行を停止する。
【００２８】
パチンコ玉７０の検出位置をケース１０の底１０１の近傍に設定してパチンコ玉７０の最大外径部が通過口１１の内周壁隅部に接触したところでパチンコ玉７０を検出したものとすることにより、パチンコ玉７０がこの位置に到達した時、パチンコ玉７０は外表面が最大外径部のところで通過口１１の内周壁隅部に接触しており、通過口１１の内周面との間の寸法裕度は最小であるので、パチンコ玉７０のバウンドは安定し、パチンコ玉７０の検出をこの安定した状態で実施することができる。
そして、通過口１１に逆側からパチンコ玉７０が進入しようとすると、パチンコ玉７０はレバー２０の受け部２４の係止片２４２に引っ掛かり、通過口１１に進入、通過することができない。即ち、パチンコ玉７０が通過口１１に逆側から進入しようとする場合、係止片２４２の下端部にパチンコ玉７０が係合し、ここを力点として、受け部２４は先端部を上にして傾斜した状態で上向きに押し上げられる。受け部２４は、上向きに押し上げられながら開口１８を外側に押し出されることにより、受け部側突出部２４１は開口内壁突出部１８１に係合し、受け部２４はこれ以上開口１８を外側に押し出されることはない。これにより、パチンコ玉７０は受け部２４に阻止されて通過口１１をこれ以上進入することはできない。従って、通過口１１に対して逆側から進入するパチンコ玉７０を誤検出することはなくなった。
【００２９】
端子４２、５５をコネクタ挿入部１５まで引き延ばし、相手方のコネクタを収容するコネクタ挿入部６１をコネクタの形状に形成することで、ケース１０とコネクタ挿入部６１とを一体型とした。このことにより、使用する部品の個数を減少することができる。
ところで、以上の説明において、参照数字７０をパチンコ玉としているが、これは一般的にボール７０とすることができる。
【図面の簡単な説明】
【００３０】
【図１】実施例を説明する図。
【図２】従来例を説明する図。
【図３】ケースを説明する図であり、Ａはケースの平面図、Ｂはその正面図、Ｃはその側面図。
【図４】レバーを説明する図であり、Ａはレバーの平面図、Ｂはその正面図、Ｃはその側面図。
【図５】可動接片を説明する図であり、Ａは可動接片の正面図、Ｂはその展開した底面図、Ｃはその側面図。
【図６】電極板を説明する図であり、Ａは電極板４０の平面図、Ｂはその正面図、Ｃはその側面図。
【図７】一方の電極板を説明する図であり、Ａは電極板５０の平面図、Ｂはその正面図、Ｃはその側面図。
【図８】カバーを説明する図であり、Ａは平面図、Ｂは正面図、Ｃは底面図、Ｄは側面図。
【図９】通過口を通過するパチンコ玉によりレバーおよび可動接片が変位する様子を説明する図。
【図１０】第２のレバーを説明する図。
【図１１】更なるレバーを説明する図。
【図１２】更なるレバーを説明する図。
【図１３】更なるレバーを説明する図。
【図１４】従来例におけるパチンコ玉のバウンドを説明する図。
【符号の説明】
【００３１】
１０  ケース              １０ａ、１０ｂ、１０ｃ  側壁
１１  通過口                  １２  収納空間
１３ａ、１３ｂ  段付き軸    １４ａ、１４ｂ  突起
１５  コネクタ挿入部          １６  軸
１７  係止突起                １８  開口
１９  突き当て面              ２０  レバー
２１  基部                    ２２  長尺腕部
２３  短尺腕部                ２４  受け部
２４ａ  テーパ面                ２５  押圧部
２６  突部                    ２７  軸部
２８  かしめ部                ３０  可動接片
３１  固定部                  ３２  穴
３３  可動接点          ３４、３６  長円穴
３５  丸穴                    ３７  長円切欠き
４０、５０  電極板                ４１  固定接点
４２  端子                    ４３  方形板部
４４  延長部                  ４５  穴
５０  電極板                  ５１  穴
５２  板部                    ５３  板部
５４  延長部                  ５５  端子
５６  切り起こし片            ６０  カバー
６１  コネクタ挿入部    ６２、６３  穴
６４  係止片
６５  係止窓                  ８１  緩衝突起
１０１  底                    １０２  進行阻止溝
１８１  開口内壁突出部        ２４１  受け部側突出部
２４２  係止片
【図１】
2006271490.tif 000003
【図２】
2006271490.tif 000004
【図３】
2006271490.tif 000005
【図４】
2006271490.tif 000006
【図５】
2006271490.tif 000007
【図６】
2006271490.tif 000008
【図７】
2006271490.tif 000009
【図８】
2006271490.tif 000010
【図９】
2006271490.tif 000011
【図１０】
2006271490.tif 000012
【図１１】
2006271490.tif 000013
【図１２】
2006271490.tif 000014
【図１３】
2006271490.tif 000015
【図１４】
2006271490.tif 000016